(57)【特許請求の範囲】
【請求項１】
雨水などの中水を濾過した後に、二つの貯留槽に貯留し、必要に応じて前記各貯留槽から各別に供給しうる水供給装置と、前記一方の貯留槽から供給された中水を複合発酵により浄化して飲用可能な上水を得るための第１浄水装置と、前記他方の貯留槽の前記中水及び前記第１浄水装置からの上水をそれぞれ使用した後の下水を複合発酵により浄化して中水を得るための第２浄水装置とを備えた給排水設備を用いた循環型給排水設備であって、前記他方の貯留槽から送られた中水をトイレなどの中水使用場所に移送するとともに、この中水使用場所から送られた下水を第２浄水装置で順次浄化して前記他方の貯留槽に移送する一方、前記一方の貯留槽から送られた中水を第１浄水装置で浄化して飲用水となし、厨房などの上水使用場所に移送するとともに、この上水使用場所で出た下水を第２浄水装置に順次供給して浄化したうえ、前記他方の貯留槽に移送するように構成し、前記第１浄水装置及び第２浄水装置の装置本体には、所定の微生物を育成するとともに、エアーを送り込むようになした微生物処理槽と、シリカ触媒、カーボン触媒及びマテリアル触媒の鉱物触媒を積層してなる鉱物処理槽とを設け、前記微生物処理槽にて、あらかじめ水と、松、笹、梅、イチジク、桃、柿などの葉から抽出した抽出液と、オカラと、糖蜜とからなる原液から酵素を抽出してなる発酵を誘導するための酵素液を投入した被処理水を、槽内の微生物によりバイオ処理を行った後に、前記鉱物処理槽において、バイオ処理によって生成された固定窒素、生理活性物質、タンパク質結晶を消失させるように構成したことを特徴とする循環型給排水設備。
【発明の詳細な説明】
【０００１】
【発明の属する技術分野】
本発明は、各種施設や住宅などの生活系排水を浄化し循環させて再利用するとともに、雨水などを利用することによって、水道水の使用量をほぼゼロにしうる循環型給排水設備に関する。
【０００２】
なお、本明細書において上水とは、厨房、浴室、洗面所などで使用する飲用可能な生活用水を言い、また、中水とは、トイレの便器に流す水や庭に散水する飲用とはならないがある程度きれいな水を言い、さらに、下水とは、上水や中水を使用した後のいわゆる汚水などを指すものである。
【０００３】
また、本明細書においてバイオ処理とは、１）好気性菌類、嫌気性菌類、通性嫌気性菌類等すべての微生物群が共存・共栄・共生する微生物の生態系を創り上げること、２）複合微生物動態系において、すべての好気性及び嫌気性フザリウム属を不発生にすること、３）約２０〜３０億年以上前の古代菌の現生・発現により超高密度なエネルギーと情報の触媒作用が生じること、により、下水中に含まれる物質を分解消失することをいう。具体的には、微生物の持つ機能と基質と情報を利用し、あらゆる汚染物質の基礎に対して、その基質性に則した発酵法・増殖法・誘導法を駆使し、上記１）〜３）の状態にする。これを複合発酵法と呼ぶ。
【０００４】
【従来の技術】
従来、各種施設や住宅などにおいては、上水道によって外部から取り入れた上水を、厨房の調理用水、トイレの流し水、洗面水、庭への散水などに使用し、使用後の下水は下水道によって浄水場に送り浄化処理した後、河川等に排水していた。また、地域によっては、前記浄水場の処理能力が不足して、下水を河川などに直接排水する場合もあった。
【０００５】
【発明が解決しようとする課題】
上記のように上水道によって生活用水の供給を行い、下水道によって浄水場で浄化処理を行うというシステムの設備では、公共施設である上下水道設備に多額の経費がかかるだけでなく、下水を浄化処理する際には多量の汚泥が発生してその処理にも多大の手間と経費がかかるという問題があった。また、下水を河川などに直接排水すると、河川の汚染が進み、環境問題が発生するという問題がある。
【０００６】
本発明は、前述の各問題を解消することを課題とし、該課題を解決した循環型給排水設備を提供することを目的とする。
【０００７】
【課題を解決するための手段】
前記目的を達成するために、請求項１に記載した本発明の循環型給排水設備は、雨水などの中水を濾過した後に、二つの貯留槽に貯留し、必要に応じて前記各貯留槽から供給しうる水供給装置と、前記一方の貯留槽各別にから供給された中水を複合発酵により浄化して飲用可能な上水を得るための第１浄水装置と、前記他方の貯留槽の前記中水及び前記第１浄水装置からの上水をそれぞれ使用した後の下水を複合発酵により浄化して中水を得るための第２浄水装置とを備えた給排水設備を用いた循環型給排水設備であって、前記他方の貯留槽から送られた中水をトイレなどの中水使用場所に移送するとともに、この中水使用場所から送られた下水を第２浄水装置で順次浄化して前記他方の貯留槽に移送する一方、前記一方の貯留槽から送られた中水を第１浄水装置で浄化して飲用水となし、厨房などの上水使用場所に移送するとともに、この上水使用場所で出た下水を第２浄水装置に順次供給して浄化したうえ、前記他方の貯留槽に移送するように構成し、前記第１浄水装置及び第２浄水装置の装置本体には、所定の微生物を育成するとともに、エアーを送り込むようになした微生物処理槽と、シリカ触媒、カーボン触媒及びマテリアル触媒の鉱物触媒を積層してなる鉱物処理槽とを設け、前記微生物処理槽にて、あらかじめ水と、松、笹、梅、イチジク、桃、柿などの葉から抽出した抽出液と、オカラと、糖蜜とからなる原液から酵素を抽出してなる発酵を誘導するための酵素液を投入した被処理水を、槽内の微生物によりバイオ処理を行った後に、前記鉱物処理槽において、バイオ処理によって生成された固定窒素、生理活性物質、タンパク質結晶を消失させるように構成したものである。
【０００８】
【発明の実施の形態】
以下に、本発明の好適な実施の形態を添付図面に基づいて詳細に説明する。ここにおいて、添付図面の図１は循環型給排水設備の概略図、図２は給排水設備を配備した施設の平面図、図３は給排水設備を配備した施設の正面図、図４は第１浄水装置の要部を縦断して示す正面図、図５は第１浄水装置における装置本体の横断平面図、図６は第１浄水装置における装置本体のエアー供給機構を示す横断平面図、図７は図４のＡ−Ａ線断面図、図８は図４のＢ−Ｂ線断面図、図９は図４のＣ−Ｃ線断面図、図１０は第２浄水装置の装置本体の縦断正面図、図１１は第２浄水装置における装置本体の横断平面図、図１２は第２浄水装置における本体装置のエアー供給機構を説明するための横断平面図、図１３は図１０のＡ−Ａ線断面図、図１４は図１０のＢ−Ｂ線断面図、図１５は図１０のＣ−Ｃ線断面図、図１６は図１０のＤ−Ｄ線断面図ある。
【０００９】
図１〜図３に示すように、給排水設備１は住居などの施設２に設置されるもので、中水たる雨水を受ける中水受槽３、第１貯留槽４、濾過槽５、第２貯留槽６、第３貯留槽７を、前記中水を順次移行しうるように送水パイプで連繋してなる水供給装置８と、この水供給装置８の中水を浄化して飲用可能な上水を得るための第１浄水装置９と、前記水供給装置８の前記中水あるいは前記上水を使用した後の下水を浄化して中水を得るための第２浄水装置１０とから構成する。第２貯留槽６と第１浄水装置９間、第３貯留槽７とトイレなどの中水使用場所１１間、第１浄水装置９の後述するフィルター部材９ｂと厨房などの上水使用場所１２間、前記上水使用場所１２と第２浄水装置１０の流量調整槽１０ｃ間、前記中水使用場所１１と前記流量調整槽１０ｂ間、第２浄水装置１０と第３貯留槽７間は、それぞれ循環パイプ１３によって連繋する。第１貯留槽４、第２貯留槽６、第３貯留槽７には、それぞれ中水を送り出すためのポンプ４ａ，６ａ，７ａを設け、また、第１貯留槽４にはポンプ４ｂ及び送水パイプを介して放水部たる消火栓（図示せず）に連繋してある。なお、放水部は、庭や道路に散水するための散水栓（図示せず）であってもよい。
【００１０】
前記住居などの施設２の一階のコンクリート屋根の上に設けた中水受槽３内には、土の上に芝を植設した芝層１４、洗砂層１５、シリカ層１６を積層し、前記屋根の樋と第１貯留槽４間を導水パイプ１７（図３参照）で連繋する。
【００１１】
図４〜図９に示すように、第１浄水装置９は、タンク状の装置本体９ａと、この装置本体９ａで得た処理水を濾過するための、触媒用竹炭、ＳＷＡマテリアル、マイクロフィルター（図示せず）を順次通過するよう構成してなるフィルター部材９ｂと、前記装置本体９ａに送り込む被処理水を一端貯水するとともに、送り込む水量を調整するための調整槽９ｃとからなる。この調整槽９ｃには、水９０重量％、松、笹、梅、イチジク、桃、柿などの葉から抽出した抽出液６重量％、オカラ３重量％、糖蜜１重量％からなる原液から酵素を抽出してなる、発酵を誘導するための抗酸化物質を含む酵素液を定期的に投入する。
【００１２】
前記酵素液の作成にあたっては、前述の松、笹、梅、イチジク、クリ、桃、柿の葉から抽出した抽出液、オカラ、糖蜜を混合した水溶液に、空気中から微生物が混入することによって、１ｃｃあたりの微生物数（生菌数）が、初期状態において１０７〜１０８であったものが、１０９に増加して菌の死滅がなくなり、その後１０２０〜１０３０へと飛躍的に増大し、次に、この水溶液内で飛躍的に増殖した多数の微生物酵素が高密度化し、前記松、笹、梅、イチジク、クリ、桃、柿の葉に含まれる植物酵素とともに結合結晶化（合成融合）し、発酵を誘導するための抗酸化物質が生成される。この抗酸化物質を含む溶液を濾過して前記酵素液を得るのである。
【００１３】
装置本体９ａは、その内部を、第１処理室１８（バイオ触媒槽）と第２処理室１９（バイオ触媒槽）からなる微生物処理槽２０、鉱物を用いて浄化作用を発揮する鉱物処理槽２１、処理水貯水槽２２に区画し、前記各第１、第２処理室１８，１９の各下部にエアー吐出部１８ａ，１９ａを、また各両側部にエアー吐出部１８ｂ，１９ｂを配置する。さらに、前記装置本体９ａは、前記鉱物処理槽２１の下部にエアー吐出部２１ａ，２１ｂを配置するとともに、前記第１処理室１８と第２処理室１９間、この第２処理室１９と鉱物処理槽２１間、この鉱物処理槽２１と処理水貯水槽２２間の各仕切壁２３上部には、それぞれ処理された処理水が順次移行しうる水路２４ａ，２４ｂ，２４ｃを設ける。図５に示すように、前記水路２４ａの出口端は、第２処理室１９の下部に開口し、また、前記水路２４ｂの出口端は、鉱物処理槽２１の下部に開口し、さらに、前記水路２４ｃは仕切壁２３の上部を貫通する透孔で構成されている。前記エアー吐出部１８ａ，１８ｂ，２１ａは第１エアーパイプ２５ａにより、また、前記エアー吐出部１８ｂ，１９ｂ，２１ｂは、第１エアーパイプ２５ｂにより、それぞれ外部のエアー供給装置（図示せず）からエアーの供給を受けるように構成する。前記各第１、第２エアーパイプ２５ａ，２５ｂには、第１処理室１８に係る各エアー吐出部１８ａ，１８ｂと第２処理室１９に係るエアー吐出部１９ａ，１９ｂと鉱物処理槽２１のエアー吐出部２１ａ，２１ｂにエアーを送り込むか否かを切り換えるべく、エアーの遮断及び通過を切り換えるための切替弁（図示せず）を設けてある。
【００１４】
また、前記各第１、第２処理室１８，１９は、藻、菌類が現生・発現するためのバイオ加工を施した不織布２６ａ，２６ｂを所定間隔を置いて吊り下げるとともに、上部から光を照射するための図示しない光源を有する。
【００１５】
各第１、第２処理室１８，１９には、好気性菌類の乳酸菌、酵母菌等、嫌気性菌類の乳酸菌、放線菌、アゾトバクター、アミロバクター、根瘤菌等を育成するための菌床が投入されており、これらによるバイオ処理によって、好気性・嫌気性フザリウム属を抑制し、発生した塩基類をタンパク化させて結晶体となすものである。また、第１処理室１８には、前記第２貯留槽６にから伸びる循環パイプ１３と接続する導水パイプ２７を設け、この導水パイプ２７の内端を、第１処理室１８下部に臨ましめる。
【００１６】
鉱物を用いて浄化作用を発揮する鉱物処理槽２１は、シリカ触媒２８とカーボン触媒層２９とマテリアル触媒３０とを積層してなり、前記第１、第２処理室１８、１９内でバイオ処理された処理水に含まれる窒素（Ｎ）、生理活性物質、タンパク質結晶を、無機性媒体（Ｃ・ＳｉＯ２  ，Ｔｉ，Ｆｅ，Ａｌ，Ｃｕ，Ｍｇ，Ｌｉ，Ｂｅ，ｅｔｃ）により、消失させる作用を発揮する。具体的には、シリカ触媒２８では、前記処理水に含まれる固定窒素、生理活性物質、タンパク質結晶（酵素結合結晶）は、無機性触媒体であるイオン（Ｃ・ＳｉＯ２）に衝突することにより、プラスイオン化したものが炭素イオン（Ｃ）に吸着される。また、前記カーボン触媒２９では、残留したすべての水素基（Ｈ＋）をカーボン触媒２９に含まれる無機性触媒体である炭素（Ｃ）に吸着させる。さらに前記マテリアル触媒３０にてすべての触媒作用が終了する。
【００１７】
前記第１処理室１８と鉱物処理槽２１間には、鉱物処理槽２１から第１処理室１８に処理水を返送するための返送パイプ３１が配置してある。この返送パイプ３１は、鉱物処理槽２１内の処理水のバイオ処理不足を補うべく、前記処理水を鉱物処理槽２１から第１処理室１８に返送して再度の複合発酵および触媒処理による各浄化を行うためのものである。
【００１８】
処理水貯水槽２２は、鉱物処理槽２１で触媒処理された処理水を装置本体９ａから前記フィルター部材９ｂに送り出すための排水機構を設けてある。この排水機構は、モータ３２と先端を処理水貯水槽２２下部に臨ましめた吸上パイプ３３とからなり、この吸上パイプ３３は、前記フィルター部材９ｂに連繋する連繋パイプ３４に接続してある。
【００１９】
なお、図４、図５中の符号３５は、水位が上がり過ぎた際に処理水を外部に排出する、処理水貯水槽２２上部に設けたオーバーフローパイプ、符号３６は、第１、第２微生物処理槽１８，１９及び鉱物処理槽２１上部に設けた開口部である。
【００２０】
次に、上記浄水装置１により雨水の処理を行う工程を説明する。まず、調整槽９ｃに第２貯留槽６内の雨水を流し込み、酵素液を投入して所定時間経過後に、この被処理水を導水パイプ２７から第１処理室１８に徐々に流入させるとともに、エアー吐出部１８ａ，１８ｂ，１９ａ，１９ｂから所定の前記切替弁を操作してエアーを吐出させる。第１処理室１８では、好気性菌類の乳酸菌、酵母菌等による発酵系優先微生物群処理と、前記好気性菌類及び嫌気性菌類の乳酸菌、放線菌による発酵及び発酵合成系微生物群処理と、主に嫌気性菌類による発酵合成系微生物群処理により、抗酸化作用による酸化、変敗、腐敗の抑制、アミノ酸、糖類、ビタミン、ミネラル等の生理活性物質の生成及び大腸菌、雑菌、一般細菌の抑制、ストレプトマイセス・ペニシリウム等抗生物質の生成及びウイルス、病原菌、リケッチャーの滅菌、増殖抑制を行う。また、第１、第２処理室１８，１９では、不織布２６ａ，２６ｂに現生・発現した光合成菌、藻菌類、光合成微生物が、光源（図示せず）の光によって、炭酸ガス、窒素ガスを取り込んで光合成等のエネルギー置換及び交換を行う。すなわち、このバイオ処理とエネルギー置換及び交換によって、被処理水のほぼ完全な酸化、変敗、腐敗を断ち切り、好気性・嫌気性フザリウム属を消滅させ、微生物の全ての有害作用を有効作用に導く。換言すれば、前記バイオ処理によって、前記各菌の共存、共栄、共生を可能とし、微生物の有効作用を引き出して、酸化、変敗、腐敗を断ち切るのである。
【００２１】
続いて、第１処理室１８の水路２４ａより、被処理水は水路２４ａから第２処理室１９に移行し、この第２処理室１９でも前記第１処理室１８の場合と同様のバイオ処理と光合成によるエネルギー置換及び交換が行われる。
【００２２】
続いて、第２処理室１９より、処理水が水路２４ｂを経て鉱物処理槽２１に流入する。この鉱物処理槽２１では、マテリアル触媒３０とカーボン触媒２９とシリカ触媒２８が、これらに含まれる無機性触媒体（Ｃ・ＳｉＯ２，Ｔｉ，Ｆｅ，Ａｌ，Ｃｕ，Ｍｇ，Ｌｉ，Ｂｅ，ｅｔｃ）を用いたイオン触媒により、バイオ処理により発生した固定窒素、生理活性物質、タンパク質結晶の消失を行う。
【００２３】
続いて、鉱物処理槽２１より、処理水（飲用可能な上水）は水路２４ｃから処理水貯水槽２２に流れ込む。この処理水は、モータ３２でポンプを駆動し、吸上パイプ３３で前記処理水を汲み上げ、触媒用竹炭、ＳＷＡマテリアル、マイクロフィルターを積層（図示せず）してなるフィルター部材９ｂにてさらに濾過し、飲用水として上水使用場所１３に送水する。なお、第１処理室１８への被処理水の導入は連続的になされる。
【００２４】
また、上水使用場所１１で使用した後の下水（汚水）は、送水パイプ１３を経て第２浄水装置１０に送られる。なお、前記のようにして得られた鉱物処理槽２１内の処理水になお不要物質が存在する場合には、返送パイプ３１によって前記第１処理室１８に戻され、再度バイオ処理と鉱物を用いた触媒処理を施すことが可能である。
【００２５】
図１及び図１０に示すように、第２浄水装置１０は、タンク形状の装置本体１０ａと、この装置本体１０ａに送りこまれる下水の流量を、装置本体１０ａで効果的に処理するように調整するための第１流量調整槽１０ｂと、第２流量調整槽１０ｃとからなる。この第１流量調整槽１０ｂには、前述した第１浄水装置９で使用したものと同じ酵素液を定期的に投入する。
【００２６】
図１０〜図１６に示すように、装置本体１０ａの内部を仕切壁３７，３８，３９，４０，４１によって、第１微生物処理槽４２、第２微生物処理槽４３、第３微生物処理槽４４、第４微生物処理槽４５、第５微生物処理槽４６、鉱物処理槽４７に区画し、前記各第１〜第５微生物処理槽４２〜４６の各下部にエアー吐出部４２ａ，４３ａ，４４ａ，４５ａ，４６ａを配置し、また、第５微生物処理槽４６の両側部にもエアー吐出部４６ｂを配置し、さらに、前記鉱物処理槽４７下部にエアー吐出部４７ａを配置する。前記仕切壁３７，３８，３９上部には、第１微生物処理槽４２から第２微生物処理槽４３へ、第２微生物処理槽４３から第３微生物処理槽４４へ、第３微生物処理槽４４から第４微生物処理槽４５へ、それぞれ処理水を移行させるための水路４８ａを設ける。前記各水路４８ａの各出口側の第２〜第４微生物処理槽４３〜４５には、各水路４８ａを通って移行させた各処理水を第２〜第４微生物処理槽４３〜４５下部に誘導するための断面半円状の誘導管４９をそれぞれ設ける。また、装置本体１０ａ上部には前記各槽に対応するように、内部の各部材の保守管理のために開口部５０を設けてある。
【００２７】
図１２に明示したように、エアー吐出部４２ａ，４３ａ，４４ａ，４５ａ，４７ａは、第１エアーパイプ５１ａにより、また、前記エアー吐出部４６ａ，４６ｂは第２エアーパイプ５１ｂによりそれぞれ外部のエアー供給装置（図示せず）からエアーの供給を受けるように構成する。
【００２８】
図１０に明示したように、第１微生物処理槽４２は、内部にあらかじめ好気性菌類の乳酸菌、酵母菌が優先的に現生するための菌床が投入され、また、隔壁５２により内部を二分し下部で連通する二つの処理室５３ａ，５３ｂに分割し、装置本体１０ａ端部側の処理室５３ａには、外部から被処理水である汚水を、前記端部側処理室５３ａ下部に導入する導水管５４を設ける。この導水管５４は、連繋パイプ５５によって前記第２流量調整槽１０ｃに連繋してある（図１参照）。
【００２９】
また、第２、第３微生物処理槽４３，４４には、前記好気性菌類と嫌気性菌類の乳酸菌、放線菌、アゾトバクター、アミロバクター、根瘤菌が優先的に現生するための菌床が投入されている。
【００３０】
図２及び図１１に明示したように、第４微生物処理槽４５には、前記嫌気性菌類が優先的に現生するための菌床が投入されるとともに、その側部壁には、処理水に含まれる各種菌類を沈殿させるための沈殿槽５６に連繋した処理水取出孔５７を設ける。
【００３１】
図１５に明示したように、第５微生物処理槽４６は、前述の第１浄水槽９における微生物処理槽２０で使用したものと同じ複数の不織布５８を所定間隔を置いて吊り下げるとともに、その側壁には前記沈殿槽５６に連繋する受水口５９を設けてある。この受水口５９の出口端は、第５微生物処理槽４６の下部に開口している。
【００３２】
鉱物処理槽４７は、シリカ触媒６２、カーボン触媒６１、マテリアル触媒６０を積層してなり、前記第５微生物処理槽４６内でバイオ処理された処理水に含まれる固定窒素、生理活性物質、タンパク質結晶を、無機性媒体（Ｃ・ＳｉＯ２  ，Ｔｉ，Ｆｅ，Ａｌ，Ｃｕ，Ｍｇ，Ｌｉ，Ｂｅ，ｅｔｃ）により、消失させる作用を発揮する。具体的には、シリカ触媒６２において、固定窒素、生理活性物質、タンパク質結晶がＣ・ＳｉＯ２に衝突することにより、プラスイオン化したものが炭素（Ｃ）に吸着され、また、カーボン触媒６１において、残留したすべての水素基（Ｈ＋）を炭素（Ｃ）に吸着させ、マテリアル触媒６０において、すべての消失が触媒作用が終わる。なお、図１０〜図１２中、符号６３はオーバーフローパイプである。
【００３３】
次に、上記第２浄水装置１０で浄水を得る過程を説明する。まず、第１、第２流量調整槽１０ｂ，１０ｃを経て第１微生物処理槽４２の処理室５３ａに汚水を徐々に導入すると、第１微生物処理槽４２より、水路４８ａを経て第２微生物処理槽４３の下部に流入し、さらに第３、第４微生物処理槽４４，４５に移流される。この第４微生物処理槽４４より、処理水は、処理水取出孔５７から沈殿槽５６に入り、この沈殿槽５６より、受水口５９から第５微生物処理槽４６の下部に入る。また、第５微生物処理槽４６より、水路４８ｂを通って鉱物処理槽４７の下部に移送される。
【００３４】
そして、第１微生物処理槽４２では、エアーを供給されて、好気性菌類の乳酸菌、酵母菌による発酵系優先微生物群処理が進み、抗酸化作用による酸化、変敗、腐敗の抑制及び固形物の液状化が行われる。
【００３５】
第２微生物処理槽４３では、前記好気性菌類及び嫌気性菌類の乳酸菌、放線菌による発酵及び発酵合成系微生物群処理が進み、主に嫌気性菌類による発酵合成系微生物群とが同時に進行するバイオ処理により、アミノ酸、糖類、ビタミン、ミネラル等の生理活性物質の生成が行われる。
【００３６】
第３微生物処理槽４４では、発酵合成系微生物群処理が進み、好気性の雑菌類及び嫌気性の細菌、ウイルス、病原菌、リケッチャーの滅菌、増殖抑制が行なわれる。
【００３７】
第４微生物処理槽４５では、処理水に主に嫌気性菌類が存在し、合成系優先微生物群処理が行われ、これを前記沈殿槽５６に送り込んで、各種菌類を沈殿させる。沈殿した菌類は第一微生物処理槽へ返送され、そこで再び活動し始める。そして、沈殿槽５６から第５微生物処理槽４６に流入した処理水には、ほぼ菌類が存在しない。
【００３８】
第５微生物処理槽４６では、不織布２６ａ，２６ｂに現生・発現した光合成菌、藻菌類、光合成微生物が、光源（図示せず）からの光によって、炭酸ガス、窒素ガスを取り込んで光合成等のエネルギー置換及び交換を行う。すなわち、このバイオ処理とエネルギー置換及び交換によって、被処理水のほぼ完全な酸化、変敗、腐敗を断ち切り、好気性・嫌気性フザリウム属を消滅させ、微生物の全ての有害作用を有効作用に導く。換言すれば、前記バイオ処理によって、前記各菌の共存、共栄、共生を可能とし、微生物の有効作用を引き出して、酸化、変敗、腐敗を断ち切るのである。
【００３９】
続いて、上記第５微生物処理槽４６の処理水が水路４８ｂを経て鉱物処理槽４７に入ると、前記第１浄水装置９の鉱物処理槽２１の場合と同様に、積層したマテリアル触媒６０、カーボン触媒６１、シリカ触媒６２が、これらに含まれる無機性触媒体（Ｃ・ＳｉＯ２  ，Ｔｉ，Ｆｅ，Ａｌ，Ｃｕ，Ｍｇ，Ｌｉ，Ｂｅ  Ｂ  ｅｔｃ）を用いたイオン触媒により、固定窒素（Ｎ）、生理活性物質、タンパク質結晶の消失を行う。
【００４０】
すなわち、前記マテリアル触媒６０では、前記微生物処理槽４５で処理された処理水をより浄化する作用を発揮する。また、前記カーボン触媒６１では、タンパク質結晶の衝突により、残留したすべての水素基（Ｈ＋）をカーボン触媒６１に含まれる無機性触媒体である炭素（Ｃ）に吸着させる。さらにシリカ触媒６２では、被処理水中の固定窒素、生理活性物質、タンパク質結晶が、シリカ触媒６２に含まれる無機性触媒体であるイオン（Ｃ・ＳｉＯ２）に衝突することにより、プラスイオン化したものを炭素イオン（Ｃ）に吸着させる。
【００４１】
このようにして得られた中水は、再度トイレ用水などとして使用すべく、前記水供給装置の８の第３貯留槽７（図１参照）に循環パイプ１３（図１参照）に送り出す。
【００４２】
以上のように構成した給排水設備１による循環型給排水設備は、水供給装置８において、中水を受ける雨水受槽３、第１貯留槽４、濾過層５を経て、第２貯留槽６及び第３貯留槽７に中水を貯留し、この第３貯留槽７の中水を、トイレなどの使用場所１１に送って使用し、使用後の下水を、第２浄水装置１０で中水に浄化して前記第３貯留槽７に返送する一方、前記第２貯留槽６の中水を、第１上水装置９で上水に浄化して、厨房などの上水使用場所１２に送って使用し、使用後の下水を、前記中水使用場所１１から出た下水といっしょに、第２浄水装置１０に送って浄化し、前記第３貯留槽７に返送するのである。
【００４３】
なお、本発明は上記実施形態になんら限定されるものではなく、例えば、中水は雨水に代えて川水や湖水でもよい。
【００４４】
【発明の効果】
以上のように、請求項１に記載した本発明によれば、雨水や川水などの中水を利用して飲用水などを得るとともに、上水あるいは中水を使用した後の下水は、悪臭を消失し、余剰汚泥を不発生又は軽減しつつ浄化して再利用するので、従来のような公的な上下水道設備や浄化設備に全てを頼らないでも生活水を確保できるほか、上下水道設備費を軽減でき、加えて、下水を浄化した後の中水を河川に排出しても環境上問題がないどころか、魚が現生し、水鳥が飛ぶ等の自然回帰現象が起こるうえ、効果的なバイオ処理を行わせることができるという効果を奏する。
【図面の簡単な説明】
【図１】循環型給排水設備の概略図。
【図２】給排水設備を配備した施設の平面図。
【図３】給排水設備を配備した施設の正面図。
【図４】第１浄水装置おける装置本体の縦断正面図。
【図５】第１浄水装置における装置本体の横断平面図。
【図６】第１浄水装置における装置本体のエアー供給機構を示す横断平面図。
【図７】図４のＡ−Ａ線断面図。
【図８】図４のＢ−Ｂ線断面図。
【図９】図４のＣ−Ｃ線断面図。
【図１０】第２浄水装置における要部を縦断して示す正面図。
【図１１】第２浄水装置における装置本体の横断平面図。
【図１２】第２浄水装置における本体装置のエアー供給機構を示す横断平面図。
【図１３】図１０のＡ−Ａ線断面図。
【図１４】図１０のＢ−Ｂ線断面図。
【図１５】図１０のＣ−Ｃ線断面図。
【図１６】図１０のＤ−Ｄ線断面図。
【符号の説明】
１  給排水設備
２  施設
３  中水受槽
４  第１貯留槽
５  濾過タンク
６  第２貯留槽
７  第３貯留槽
８  水供給装置
９  第１浄水装置
９ａ  装置本体
９ｂ  フィルター部材
９ｃ  調整槽
１０  第２浄水装置
１０ａ  装置本体
１０ｂ  第１流量調整槽
１０ｃ  第２流量調整槽
１１  中水使用場所
１２  上水使用場所
１３  循環パイプ
１４  土、芝層
１６  シリカ層
１５  洗砂層
１７  導水パイプ
１８  第１処理室
１９  第２処理室
２０  微生物処理槽
２１  鉱物処理槽
２２  処理水貯水槽
２３  仕切壁
２４ａ，２４ｂ、２４ｃ  水路
２５ａ  第１エアーパイプ
２５ｂ  第２エアーパイプ
２６ａ，２６ｂ  不織布
２７  導水管
２８  シリカ触媒
２９  カーボン触媒
３０  マテリアル触媒
３１  返送パイプ
３２  モータ
３３  吸上パイプ
３４  連繋パイプ
３５  オーバーフローパイプ
３６  開口部
３７，３８，３９，４０，４１  仕切壁
４２  第１微生物処理槽
４３  第２微生物処理槽
４４  第３微生物処理槽
４５  第４微生物処理槽
４６  第５微生物処理槽
４７  鉱物処理槽
４２ａ，４３ａ，４４ａ，４５ａ，４６ａ，４６ｂ，４７ａ  エアー吐出部
４８ａ，４８ｂ  水路
４９  誘導管
５０  開口部
５１ａ  第１エアーパイプ
５１ｂ  第２エアーパイプ
５２  隔壁
５３ａ，５３ｂ  処理室
５４  導水管
５５  連繋パイプ
５６  沈殿槽
５７  ゴミ取出孔
５８  不織布
５９  処理水取出孔
６０  マテリアル触媒
６１  カーボン触媒
６２  シリカ触媒
６３  オーバーフローパイプ
【図１】
0004178440.tif 000002
【図２】
0004178440.tif 000003
【図３】
0004178440.tif 000004
【図４】
0004178440.tif 000005
【図５】
0004178440.tif 000006
【図６】
0004178440.tif 000007
【図７】
0004178440.tif 000008
【図８】
0004178440.tif 000009
【図９】
0004178440.tif 000010
【図１０】
0004178440.tif 000011
【図１１】
0004178440.tif 000012
【図１２】
0004178440.tif 000013
【図１３】
0004178440.tif 000014
【図１４】
0004178440.tif 000015
【図１５】
0004178440.tif 000016
【図１６】
0004178440.tif 000017